(57)【要約】【課題】宅内装置の電源ＯＦＦ時に、電源ＯＦＦ直前の使用動作状態を保存し、保存後直ちに電源をＯＦＦして、電源ＯＦＦ期間の消費電力を削減するとともに、電源ＯＮ時に宅内装置の立ち上げを瞬時に行えるようにする。【解決手段】電源ＯＦＦ時に機械的スイッチ装置１５がＯＦＦしてから電子式スイッチ装置５５のＯＦＦまでに、ＣＰＵのソフトウェアによる電源断前処理（データ保存、通信終了ほか）等、所定の処理が終了後、電源をＯＦＦするよう時間遅延ができるので、電源ＯＦＦ前の動作中のプログラム、データが失われず保存される。また、保存後、電子式スイッチ装置５５のＯＦＦにより電源ＯＦＦ期間中、第１のＤＣ−ＤＣコンバータ以降の電気回路においてＣＰＵを含め全てＯＦＦにする。【選択図】図３
2005316882.tif 000002
【特許請求の範囲】
【請求項１】
宅内に配置された宅内の所定エリアをカメラにて撮影する宅内装置と、前記宅内装置にて撮影した画像を電話回線及びインターネットを介して受信するとともに、その画像をインターネットおよび電話回線網を介して携帯端末に送信するサーバ装置とを備えた遠隔見守りシステム用宅内装置の電源スイッチ装置において、
前記宅内装置のＤＣ主電源より第１のＤＣ−ＤＣ電源コンバータと、第１のＤＣ−ＤＣ電源コンバータに接続し異なる出力電圧をもつ複数の第２のＤＣ−ＤＣ電源コンバータと、前記主電源と前記第１のＤＣ−ＤＣ電源コンバータとの間に備えた電子電源スイッチ装置（電子式スイッチ装置という）と、
前記電子式スイッチ装置に接続され、この電子式スイッチ装置を制御する電源スイッチ制御装置と、
前記電子式スイッチ装置をＯＮ・ＯＦＦする２回路連動式の機械的スイッチ装置と、
前記機械的スイッチ装置よりＯＮ／ＯＦＦ状態を認識し少なくともＮＭＩ（Ｎｏｎ  Ｍａｓｋａｂｌｅ  Ｉｎｔｅｒｒｕｐｔ）信号を発生させ、前記電源スイッチ制御装置を制御することにより前記電子式スイッチ装置を制御するＣＰＵと、
を備え、
前記機械的スイッチ装置の一方のスイッチ回路端子は前記電子式スイッチ装置と前記電源スイッチ制御装置とに接続され、連動する他方のスイッチ回路端子はＣＰＵのＮＭＩポートに接続され、
前記機械的スイッチ装置のＯＮ動作時には、前記機械的スイッチ装置ＯＮ始動後、直ちに前記電子式スイッチ装置をＯＮさせ、ＣＰＵに電源が供給され、
前記機械的スイッチ装置のＯＦＦ動作時に、ＣＰＵはＮＭＩ割込みを検出し、これによりＣＰＵは電源断前処理を実行し、この処理中にプログラムまたはデータの書き込み動作を行い、この処理が終了した時に前記電源スイッチ制御装置をＯＦＦさせ、電子式スイッチ装置をＯＦＦさせることにより、前記機械的スイッチ装置ＯＦＦ始動から前記電子式スイッチ装置ＯＦＦ始動までに時間遅延をもたせたことを特徴とする遠隔見守りシステム用宅内装置の電源スイッチ装置。
【請求項２】
宅内に配置された宅内の所定エリアをカメラにて撮影する宅内装置と、前記宅内装置にて撮影した画像を電話回線及びインターネットを介して受信するとともに、その画像をインターネットおよび電話回線網を介して携帯端末に送信するサーバ装置とを備えた遠隔見守りシステム宅内装置の電源スイッチ装置において、
前記宅内装置のＤＣ主電源に接続する第１のＤＣ−ＤＣ電源コンバータと、第１のＤＣ−ＤＣ電源コンバータに接続し異なる出力電圧をもつ複数の第２のＤＣ−ＤＣ電源コンバータと、前記ＤＣ主電源と前記第１のＤＣ−ＤＣ電源コンバータとの間に備えた電子電源スイッチ装置（電子式スイッチ装置という）と、
前記電子式スイッチ装置に接続され、この電子式スイッチ装置を制御する電源スイッチ制御装置と、
前記電子式スイッチ装置をＯＮ／ＯＦＦする複数回路連動式の機械的スイッチ装置と、
前記機械的スイッチ装置よりＯＮ／ＯＦＦ状態を認識し前記電源スイッチ制御装置を制御するＣＰＵと、
を備え、
前記機械的スイッチ装置のＯＮ動作時には、前記機械的スイッチ装置ＯＮ始動後、直ぐに前記電子式スイッチ装置をＯＮ始動させ、
前記機械的スイッチ装置動作ＯＦＦ動作時には、ＣＰＵは電源断前処理を実行し、この処理により、前記機械的スイッチ装置ＯＦＦ始動から前記電子式スイッチ装置ＯＦＦ始動までに時間遅延をもたせ、この遅延時間にプログラムまたはデータの書き込みを行うようにしたことを特徴とする遠隔見守りシステム用宅内装置の電源スイッチ装置。
【請求項３】
前記機械スイッチ装置の一方のスイッチ回路端子を前記電子式スイッチ装置と前記電源スイッチ制御装置へ接続し、連動する他のスイッチ回路端子をＣＰＵの  ＮＭＩ（Ｎｏｎ  Ｍａｓｋａｂｌｅ  Ｉｎｔｅｒｒｕｐｔ）ポートへ接続し、ＣＰＵへ少なくともＮＭＩ信号を発生させ、ＣＰＵのソフトウェア処理によって前記電源スイッチ制御装置を制御することにより前記電子式スイッチ装置を制御することを特徴とする請求項２記載の遠隔見守りシステム用宅内装置の電源スイッチ装置。
【発明の詳細な説明】
【技術分野】
【０００１】
本発明は、ネットワーク遠隔見守りシステムの宅内装置に適用される電源スイッチ装置に関する。
【背景技術】
【０００２】
近年、携帯電話、携帯情報端末、携帯パソコンなどのバッテリー長時間化のため、機器の低消費電力化が課題になっているが、長時間使用するＳＴＢやネットワーク監視システム等の宅内端末でも低消費電力化に向け様々な工夫が施されてきている。
【０００３】
特に、パワーオフ状態における消費電力の軽減を図りながら、パワーオン要求発生時に、退避情報に基づく状態復元処理を行うことで、パワーオフ直前の処理が速やかに再開できるようにすることが知られている。（例えば、特許文献１参照。）
【０００４】
また、電源断検知回路において、電源スイッチオフにおいて、電源スイッチオフによる
電源停止又は停電を検知し、ＣＰＵへＮＭＩ（Ｎｏｎ  Ｍａｓｋａｂｌｅ  Ｉｎｔｅｒｒｕｐｔ）信号を発生させることが知られている。（例えば、特許文献２参照。）
【特許文献１】特開平１０−２４０３９１号公報
【特許文献２】特開平１１−２５００７号公報
【発明の開示】
【発明が解決しようとする課題】
【０００５】
ところで、前述の従来例のような遠隔見守りシステム用の宅内端末装置では、家庭内常設のため、装置には常に電源が接続されている場合が多く、また、使用開始時の早期立ち上げの利便性から、主電源又は電池電源が常に供給されている場合が多い。従って、主電源、電池電源以降の電子回路装置の消費電力をできるだけ少なくすることが省電力化の１つの大きな課題である。特に、装置の利用停止状態において、装置内部の一部に電力監視目的で電力を常に供給し消費している場合もあり、これらの点からも停止中における装置の低電力化が求められている。
【０００６】
本発明は、宅内端末装置等の停止動作時には利用途中のデータが失われないよう保存することが必要であり、そのため、電源停止動作から実際に供給電源が停止されるまで、保存時間に必要な時間的遅延を機器に持たせ、その後、主電源以降の電源を完全に停止させることを自動的に行える宅内装置の電源スイッチ装置を提供することを目的とする。
【課題を解決するための手段】
【０００７】
上記目的を達成するために請求項１の発明は、宅内に配置された宅内の所定エリアをカメラにて撮影する宅内装置と、宅内装置にて撮影した画像を電話回線及びインターネットを介して受信するとともに、その画像をインターネットおよび電話回線網を介して携帯端末に送信するサーバ装置とを備えた遠隔監視システム用宅内装置の電源スイッチ装置において、宅内装置のＤＣ主電源より第１のＤＣ−ＤＣ電源コンバータと、第１のＤＣ−ＤＣ電源コンバータに接続し異なる出力電圧をもつ複数の第２のＤＣ−ＤＣ電源コンバータと、ＤＣ主電源と前記第１のＤＣ−ＤＣ電源コンバータとの間に備えた電子電源スイッチ装置（電子式スイッチ装置という）と、電子式スイッチ装置に接続され、この電子式スイッチ装置を制御する電源スイッチ制御装置と、電子式スイッチ装置をＯＮ・ＯＦＦする２回路連動式の機械的スイッチ装置と、機械的スイッチ装置よりＯＮ／ＯＦＦ状態を認識し少なくともＮＭＩ（Ｎｏｎ  Ｍａｓｋａｂｌｅ  Ｉｎｔｅｒｒｕｐｔ）信号を発生させ、電源スイッチ制御装置を制御することにより電子式スイッチ装置を制御するＣＰＵとを備え、機械的スイッチ装置の一方のスイッチ回路端子は電子式スイッチ装置と電源スイッチ制御装置とに接続され、連動する他方のスイッチ回路端子はＣＰＵに接続され、機械的スイッチ装置のＯＮ動作時には、機械的スイッチ装置ＯＮ始動後、直ちに電子式スイッチ装置をＯＮさせ、機械的スイッチ装置のＯＦＦ動作時には、ＣＰＵの電源断前処理により機械的スイッチ装置ＯＦＦ始動から電子式スイッチ装置ＯＦＦ始動までに時間遅延をもたせることを可能としたものである。
【０００８】
請求項２の発明は、宅内に配置された宅内の所定エリアをカメラにて撮影する宅内装置と、宅内装置にて撮影した画像を電話回線及びインターネットを介して受信するとともに、その画像をインターネットおよび電話回線網を介して携帯端末に送信するサーバ装置とを備えた遠隔見守りシステム宅内装置の電源スイッチ装置において、宅内装置のＤＣ主電源に接続する第１のＤＣ−ＤＣ電源コンバータと、第１のＤＣ−ＤＣ電源コンバータに接続し異なる出力電圧をもつ複数の第２のＤＣ−ＤＣ電源コンバータと、ＤＣ主電源と前記第１のＤＣ−ＤＣ電源コンバータとの間に備えた電子電源スイッチ装置（電子式スイッチ装置という）と、電子式スイッチ装置に接続され、この電子式スイッチ装置を制御する電源スイッチ制御装置と、電子式スイッチ装置をＯＮ／ＯＦＦする複数回路連動式の機械的スイッチ装置と、機械的スイッチ装置よりＯＮ／ＯＦＦ状態を認識し電源スイッチ制御装置を制御するＣＰＵと、を備え、機械的スイッチ装置のＯＮ動作時には、機械的スイッチ装置ＯＮ始動後、直ぐに電子式スイッチ装置をＯＮ始動させ、機械的スイッチ装置動作ＯＦＦ時にＣＰＵのソフト制御により機械的スイッチ装置ＯＦＦ始動から電子式スイッチ装置ＯＦＦ始動までに時間差をもたせることを可能としたものである。
【０００９】
請求項３の発明は、請求項２記載の遠隔見守りシステム用宅内装置の電源スイッチ装置において、機械スイッチ装置の一方のスイッチ回路端子を電子式スイッチ装置と電源スイッチ制御装置へ接続し、連動する他のスイッチ回路端子をＣＰＵへ接続し、ＣＰＵへ少なくともＮＭＩ（Ｎｏｎ  Ｍａｓｋａｂｌｅ  Ｉｎｔｅｒｒｕｐｔ）信号を発生させ、ＣＰＵのソフトウェア処理によって電源スイッチ制御装置を制御することにより電子式スイッチ装置を制御することを可能としたものである。
【発明の効果】
【００１０】
請求項１の発明によれば、電子式スイッチ装置は機械的スイッチ装置による電源ＯＮ時は電子式スイッチ制御装置、ＣＰＵ制御に関係なく直ぐにＯＮされ、機械的スイッチ装置による電源ＯＦＦ時はＣＰＵからの制御により電源スイッチ制御装置が制御され、機械的スイッチ装置ＯＦＦ始動から電子式スイッチ装置ＯＦＦまで時間遅延をもたらすことができるので、宅内装置の使用中のプログラム、データが保存されたのを確認した後、電子式スイッチ装置をＯＦＦでき、それまでに電源停止前のシステム動作状況が保存できる。
また、上述の時間遅延後、電子式スイッチ装置は完全にＯＦＦとなり、第１のＤＣ―ＤＣコンバータを含め以降のＣＰＵを含め電気回路はすべてＯＦＦされ、これらによる停止中の電力消費は発生しないので低消費電力化が可能となる。
【００１１】
請求項２の発明によれば、電源ＯＦＦ時に、電源ＯＦＦ直前の動作状態が保存でき、次の電源ＯＮ時に動作の継続性が保たれ作業性を高めることができるとともに、電源ＯＦＦ期間中の消費電力の削減が図れる。
【００１２】
請求項３の発明は、さらに、機械的スイッチ装置の連動するスイッチ回路端子の一端をＣＰＵへ接続しているので、機械的スイッチ装置ＯＦＦに連動した電源ＯＦＦの検知が、ＣＰＵへＮＭＩ（Ｎｏｎ  Ｍａｓｋａｂｌｅ  Ｉｎｔｅｒｒｕｐｔ）信号を発生させることにより行え、ＣＰＵでの電源断前処理のソフトウェア処理を確実、迅速に行うことができる。
【発明を実施するための最良の形態】
【００１３】
以下、本発明を具体化した実施形態による遠隔見守りシステムについて図面を参照して説明する。図１は遠隔見守りシステムの全体構成を示す。この遠隔見守りシステム１は、宅内の状況を宅外から見守るために宅内の撮影画像を宅外から確認可能とするシステムであり、宅内の状況を外部に送信する機能を持つ宅内装置２と、宅内装置２をインターネット７経由で遠隔制御すると共に携帯端末３との間で交信されるサーバ装置４（Ｗｅｂサーバ）とを備える。宅内装置２は、一般の家電製品と同様にユーザが宅内の適宜の位置に設置し電源投入と電話回線５に接続するだけで、自動的にネットワーク接続設定がなされ、インターネット７に接続されたサーバ装置４からの制御命令を実行し、サーバ装置４に宅内情報をアップロード可能となる。サーバ装置４は、ＩＳＰ（インターネットサービスプロバイダ）、インターネット７に接続され、本遠隔見守りシステム１を運営し、サービスを提供するコンピュータである。
【００１４】
宅内装置２は、ユーザ宅の例えば子供や老人、ペット等が居る部屋に配置されて、所定の監視エリアをカメラにて撮影する。宅内装置２は、電話回線５、ＩＳＰ（インターネットサービスプロバイダ）６、及びインターネット７を介して、サーバ装置４に接続可能になっている。
【００１５】
サーバ装置４は、携帯端末３にて設定された制御命令を携帯電話回線８及びインターネット７を介して受信して、その制御命令をインターネット７及び電話回線５を介して宅内装置２に転送し、また、宅内装置２にて撮影された画像を電話回線５及びインターネット７を介して受信して、その画像をインターネット７及び携帯電話回線８を介して携帯端末３に転送する。
【００１６】
携帯端末３は、携帯電話回線８及びインターネット７を介してサーバ装置４に接続可能になっていると共に、携帯電話回線８及び電話回線５を介して宅内装置２に接続可能になっている。このような携帯端末３としては、ユーザの所持する携帯電話機やＰＤＡ（Ｐｅｒｓｏｎａｌ  Ｄｉｇｉｔａｌ  Ａｓｓｉｓｔａｎｔ）等がある。携帯端末３は、宅内装置２にて撮影された画像の送信命令を含む宅内装置２を制御するための制御命令をサーバ装置４に対して設定し、また、宅内装置２にて撮影された画像を表示する。
【００１７】
図２は本遠隔見守りシステム１の全体のブロック構成を示す。同システムの宅内装置２、携帯端末３およびサーバ装置４の構成及び動作について説明する。宅内装置２は、上述の構成に加え、宅内装置２を制御するためのＣＰＵ等からなる制御部（コールバック手段、命令要求手段、命令実行手段、コールバック設定手段）２６を備える。また、宅内装置２は、カメラ１１及び人体センサ１２と制御部２６との間で信号の入出力を行う信号入出力部２１と、カメラ信号の画像処理部２２と、カメラ信号の画像メモリ２３と、コールバック要求であることを判断するための設定呼出回数を記憶する設定メモリ２４と、ネットワークと接続するためのモデム２５とを備える。
【００１８】
カメラ１１は、所定の監視エリアを撮影するものである。人体センサ１２は、不法侵入者等を検出するためのものであり、人体から放射される赤外線を受光することにより、カメラ１１の撮影エリア内で人体の有無を検出する。動作状態表示部１３は、宅内装置２の動作状況を表示するものであり、ダイヤル中であることや通信中であること等を数字やアルファベット等を点灯又は点滅することにより表示する。警報ブザー１４は、人体センサ１２により人体を検出した際にブザー音を発するものである。電源スイッチ１５は、宅内装置２への電源供給をオン、オフするために操作されるスイッチである。
【００１９】
携帯端末３は、携帯端末３を制御するためのＣＰＵ等からなる制御部３７と、操作部３１と、表示部３２と、スピーカ３３と、メモリ３４と、送受信部３５と、ネットワークと接続するためのモデム３６とを備える。また、携帯端末３は、ブラウザ表示ソフトウェア、及び電子メールソフトウェアがインストールされている。
【００２０】
サーバ装置４は、サーバ装置４を制御するためのＣＰＵ等からなる制御部（命令転送手段）４４と、ネットワークと接続するためのモデム４１と、画像処理部４２と、記憶装置４３とを備える。モデム４１は、インターネット７との間で送受信する信号を変調する。画像処理部４２は、宅内装置２から受信した画像を処理する。
【００２１】
図３は宅内装置の電源部２７の実施例を示す。以下、図３を参照して電源部の構成と動作を説明する。まず、本宅内装置は、ＤＣ主電源５１と、これに接続する第１のＤＣ−ＤＣ電源コンバータと、第１のＤＣ−ＤＣ電源コンバータに接続し異なる出力電圧をもつ複数の第２のＤＣ−ＤＣ電源コンバータ５３と、主電源５１と第１のＤＣ−ＤＣ電源コンバータとの間に備えた電子電源スイッチ装置（電子式スイッチ装置という）５５と、電子式スイッチ装置５５に接続され、この電子式スイッチ装置５５を制御する電源スイッチ制御装置５６と、電子式スイッチ装置５５をＯＮ／ＯＦＦする２回路連動式の機械的スイッチ装置１５と、機械的スイッチ装置１５よりＯＮ／ＯＦＦ状態を認識し少なくともＮＭＩ（Ｎｏｎ  Ｍａｓｋａｂｌｅ  Ｉｎｔｅｒｒｕｐｔ）信号を発生させ、電源スイッチ制御装置５６を制御することにより電子式スイッチ装置５５を制御するＣＰＵとを備える。機械的スイッチ装置１５の一方のスイッチ回路端子は、電子式スイッチ装置５５と電源スイッチ制御装置５６とに接続され、連動する他方のスイッチ回路端子は、ＣＰＵのＮＭＩポートに接続される。
【００２２】
以上の構成により、機械的スイッチ装置１５のＯＮ動作時には、機械的スイッチ装置１５のＯＮ始動後、直ちに電子式スイッチ装置５５をＯＮさせ、ＣＰＵ５４に電源が供給され、機械的スイッチ装置１５のＯＦＦ動作時には、ＣＰＵは割込みを検出し、これにより、ＣＰＵは電源断前処理を実行し、この処理中にプログラムまたはデータの書き込み動作を行い、この処理が終了した時に電源スイッチ制御装置５６をＯＦＦさせ、電子式スイッチ装置５５をＯＦＦにさせることにより、機械的スイッチ装置１５のＯＦＦ始動から電子式スイッチ装置５５のＯＦＦ始動までに、時間遅延をもたせることを可能にしている。
【００２３】
さらに、図３を参照して電源部の動作の詳細を説明する。まず、外部より供給されたＤＣ主電源５１の＋１２Ｖ電圧は第１のＤＣ−ＤＣコンバータ５２により、＋５ＶのＤＣ電圧に変換され、さらに第２の複数のＤＣ−ＤＣコンバータ５３により＋１．５Ｖ〜＋３．３Ｖの各種ＤＣ電圧に変換される。
【００２４】
ＤＣ主電源５１と第１のＤＣ−ＤＣコンバータ５２の間に設けた電子式スイッチ装置５５は、ＤＣ主電源５１と第１のＤＣ−ＤＣコンバータ間の接続を電子的にＯＮ／ＯＦＦするもので、この電子式スイッチ装置５５はＭＯＳ−ＦＥＴ５５ａを用いて構成されている。一方、電源スイッチ制御装置５６はトランジスタ５６ａ（以下、トランジスタをＴｒと記す）を用いて構成され、Ｔｒ５６ａのコレクタ端子は抵抗Ｒ２を介してＭＯＳ−ＦＥＴ５５ａのゲート端子に接続され、同エミッタ端子は接地され、同ベース端子は抵抗Ｒ３を介して接地されるとともに、抵抗Ｒ４を介してＣＰＵ５４のＰＯＲＴ（Ｄ）に接続されＣＰＵ５４からの電源制御信号で制御される。
【００２５】
機械的スイッチ装置１５は２回路連動式の機械的スイッチとなっており、機械的スイッチ装置１５のＯＮ時は、Ｔｒ５６ａのコレクタとこれに接続している抵抗Ｒ２の一端とが接地され、Ｔｒ５６ａはＯＦＦとなる。一方、ＭＯＳ−ＦＥＴ５５ａはＲ２の一端が接地されることにより、同ドレインーゲート間に接続された抵抗Ｒ１と同ゲートに接続された抵抗Ｒ２とによりＭＯＳ−ＦＥＴ５５ａをＯＮするバイアスが架かり、機械的スイッチ装置１５がＯＮと同時に電子式スイッチ装置５５はＯＮとなり、＋１２ＶのＤＣ電圧が第１のＤＣ−ＤＣコンバータに供給され、以降のＣＰＵを始めとする全電気回路が動作する。
その後、ＣＰＵ５４のイニシャライズ処理でＣＰＵ５４のＰＯＲＴ（Ｄ）でのＰＯＲＴ制御（Ｈｉｇｈ出力）によりＴｒ５６ａはＯＮとなっている。
【００２６】
次に、電源スイッチ１５がＯＦＦのとき、Ｔｒ５６ａは未だＯＮした状態にあるためＭＯＳ−ＦＥＴ５５ａはＯＮのままで、＋１２Ｖは供給状態を保持する。ＣＰＵ５４は電源スイッチＯＦＦをＮＭＩ（Ｎｏｎ  Ｍａｓｋａｂｌｅ  Ｉｎｔｅｒｒｕｐｔ）割り込みにより検知し、ソフトウェアは電源断前処理を実施する。
【００２７】
所定の処理が終了すると、ソフトウェアはＰＯＲＴ（Ｄ）の制御出力をＬｏｗとすることにより、Ｔｒ５６ａはＯＦＦとなる。このＴｒ５６ａのＯＦＦでＭＯＳ−ＦＥＴ５５ａがＯＦＦとなり、＋１２Ｖの供給が遮断され、本体電源が切断される。この場合、電源ＯＦＦの検出をＮＭＩで行うので、機械的スイッチ装置がＯＮして第２のＤＣ−ＤＣコンバータ５３内の＋３．３Ｖ電源（ＣＰＵにも供給）が立ち上がるまで、ＮＭＩを検出しないようにしている。なお、Ｒ５、Ｒ６、Ｒ７、Ｒ８  、Ｒ９  はＤＣ電源電圧からのバイアス用の抵抗である。
【００２８】
さらに詳しく動作説明するために、電源部２７の電源ＯＮ／ＯＦＦの切換え状態を、ＣＰＵ５４の各ＰＯＲＴにおける電圧出力レベルと時間タイミングの相対関係として、電源ＯＮ／ＯＦＦ制御回路動作タイミングチャートを図４に示している。
【００２９】
以下、図４を参照して説明する。電源の機械的スイッチ装置１５のＯＮ操作によりＭＯＳ−ＦＥＴがＯＮされ、ＣＰＵのＰＯＲＴ（Ａ）に電源＋３．３Ｖが供給される（（１））。
【００３０】
ＣＰＵのＮＭＩ端子は最初ＣＰＵに電源が供給されていないため不安定状態（ほぼ０Ｖ）だが、電源ＳＷのＯＮによりＬｏｗレベルが確定する（（２））。
【００３１】
ＣＰＵのＰＯＲＴ（Ｄ）の出力（電源制御信号）も最初ＣＰＵに電源が供給されていないため不安定状態（ほぼ０Ｖ）だが、電源が立ち上がりパワーオンリセット解除後、デフォルトで入力方向になる（レベルはＨｉ−Ｚ）。その後、イニシャライズ処理でＰＯＲＴ（Ｄ）を出力に設定し、Ｈｉｇｈレベルを出力する（（３））。
【００３２】
機械的スイッチ装置１５の電源ＯＦＦ操作により、ＣＰＵのＮＭＩ入力端子がＨｉｇｈレベルになり、ＣＰＵはＮＭＩ割込みを検出する（（４））。
【００３３】
ソフトウェアはＮＭＩ割込みにより上記電源ＯＦＦ操作を認識し、電源断前処理を実行する。処理の終後、ＰＯＲＴ出力をＬｏｗレベルに制御する（（５））。
【００３４】
ＰＯＲＴ出力がＬｏｗレベルになるとＭＯＳ−ＦＥＴがＯＦＦし、ＣＰＵへの電源をＯＦＦする（（６））。
【００３５】
ＣＰＵの電源ＯＦＦにより、電源の低下とともにＰＯＲＴ出力、ＮＭＩ入力レベルが低下するが、ＣＰＵが低電圧を検出し、ＲＥＳＥＴ信号をＬｏｗレベルに保持するため、誤動作は発生しない（（７））。
【００３６】
以上の説明から明らかなように、電源ＯＦＦ時に機械的スイッチ装置１５がＯＦＦしてからＭＯＳ−ＦＥＴ５５ａより構成される電子式スイッチ装置５５のＯＦＦまでに、ＣＰＵのソフトウェアによる電源断前処理（データ保存、通信終了ほか）等、所定の処理が終了後電源をＯＦＦするよう時間遅延ができるので、電源ＯＦＦ前の動作中のプログラム、データが失われず保存される。また、保存後、電子式スイッチ装置５５のＯＦＦにより第１のＤＣ−ＤＣコンバータ以降の電気回路がＣＰＵを含め全てＯＦＦになり、ＯＦＦ期間中におけるこれらによる電力消費は発生しないので省電力化できる。ＣＰＵ５４のＰＯＲＴ（Ｃ）はセンサスイッチ１６に接続され、このセンサスイッチ１６のＯＮ時にはＰＯＲＴ（Ｂ）からセンサＬＥＤを駆動する制御信号を出す。表示用ＬＥＤ５９は電源ＯＮ／ＯＦＦを表示する。
【００３７】
このように、上記構成の遠隔見守りシステム１によれば、宅内装置２は２回路連動式の機械的スイッチ装置と、ＣＰＵと本機械的スイッチ装置で制御される電子式スイッチ装置を導入することにより、機械的スイッチ装置による電源ＯＦＦ時でも、ＣＰＵに掛かる電源は直ぐにＯＦＦにはならず、ソフトウェアで電源断処理をした後、電子式スイッチ装置がＯＦＦされるので、電源ＯＦＦ前のデータ、プログラムが保存され、一方、電源ＯＮ時は直ぐに立ち上がり、電源ＯＦＦ前の動作状態の再生により、その後の動作の継続性が保たれ作業性を高めることができる。
【００３８】
また、電源ＯＦＦ状態では、ＣＰＵを含め全信号処理回路がＯＦＦとなるので、ＯＦＦ期間中の消費電力が発生せず省消費電力化が実現できる。
【００３９】
なお、本発明は、電子式スイッチ装置５５をＭＯＳ−ＦＥＴで構成しているが、トランジスタや他の半導体デバイスの電子スイッチ素子でもよく、また、電源スイッチ制御装置もトランジスタ以外の半導体デバイス利用のスイッチ制御装置でもよい。また、本発明は遠隔見守りシステムの宅内装置の電源装置に限られず、ＳＴＢや情報端末での電源制御に利用することができる。
【図面の簡単な説明】
【００４０】
【図１】本発明の一実施形態に係る遠隔見守りシステムの概略構成を示すシステム構成図。
【図２】同遠隔見守りシステムの宅内装置とこれに接続されるサーバ装置及び携帯端末の概略構成を示す全体ブロック構成図。
【図３】同遠隔見守りシステムの宅内装置の電源部構成図。
【図４】同遠隔見守りシステムの宅内装置電源部の電源動作を示す電源ＯＮ／ＯＦＦ制御回路動作タイミングチャート。
【符号の説明】
【００４１】
１      遠隔見守りシステム
２      宅内装置
３      携帯端末
４      サーバ装置
１１    カメラ
１５    電源スイッチ（２回路連動式スイッチ）
２６    制御部
２７    電源部
５２    第１ＤＣ−ＤＣコンバータ
５３    第２ＤＣ−ＤＣコンバータ
５４    ＣＰＵ
５５    電子式スイッチ装置
５６    電源スイッチ制御装置
【図１】
2005316882.tif 000003
【図２】
2005316882.tif 000004
【図３】
2005316882.tif 000005
【図４】
2005316882.tif 000006